(57)【特許請求の範囲】
【請求項１】
コンピュータまたはそのコンピュータに接続された機器に対する操作を指示するための操作指示部を有する操作画像を、画面に表示する操作画像表示手段と、
使用者の操作に応じて上記画面内にポインタを表示するポインタ表示手段と、
上記画面内のポインタと上記操作画像との距離、または、上記画面内のポインタと上記操作指示部との距離を検出する距離検出手段と、
上記ポインタの移動方向を検出する移動方向検出手段と、
上記ポインタの停止状態を検出する停止状態検出手段と、
上記距離検出手段が検出した距離と、上記移動方向検出手段が検出した移動方向と、上記停止状態検出手段が上記ポインタの停止状態を継続して検出している時間とに基づき、上記操作画像または上記操作指示部に関する情報を選択する情報選択手段と、
該情報選択手段に選択された情報を上記画面に表示する情報表示手段と、
を備え、上記情報選択手段は、上記距離検出手段が検出した距離と上記移動方向検出手段が検出した移動方向とに基づいて、上記操作画像または上記操作指示部に関する情報を選択し、かつ、上記停止状態検出手段が上記ポインタの停止状態を継続して検出している時間に基づいて、上記操作画像または上記操作指示部に関する情報を変更することを特徴とする操作画像表示装置。
【請求項２】
コンピュータを、請求項１記載の操作画像表示装置を構成する各手段として動作させることを特徴とするプログラム。
【発明の詳細な説明】
【技術分野】
【０００１】
本発明は、コンピュータまたはそのコンピュータに接続された機器に対する操作を指示するための操作画像を画面に表示する操作画像表示装置に関し、詳しくは、使用者の操作に応じて上記画面内に表示されるポインタの位置または動きに応じて情報を表示可能な操作画像表示装置、及び、その操作画像表示装置を構成するためのプログラムに関する。
【背景技術】
【０００２】
従来より、この種の操作画像表示装置として、使用者のマウス操作に応じてパーソナルコンピュータ（以下、パソコンともいう）の画面内を移動するマウスポインタを、上記画面に表示されたアイコン上に配置し、クリックすることによって所望の操作を指示することのできる装置が提案されている。また、この種の装置では、マウスポインタの移動速度及び移動方向に基づいて使用者が選択しようとしているターゲット（アイコン等）を判断し、そのターゲットに対応したバルーンヘルプ等の情報を表示することが提案されている（例えば、特許文献１参照）。
【特許文献１】特開平１１−２１２７２７号公報
【発明の開示】
【発明が解決しようとする課題】
【０００３】
ところが、使用者の習熟度によっては、上記バルーンヘルプによって表示された情報で十分な場合もあれば、より詳細な情報を表示する必要がある場合もあった。しかしながら、特許文献１に記載の装置では、使用者の習熟度に関わらずバルーンヘルプの表示は一定である。このため、使用者の習熟度が低い場合、画面に表示されたアイコン等の操作指示部のうち、どれをクリックしてよいのか分からない場合があった。また、バルーンヘルプ等の情報を予め初心者用に詳細にしておくことも考えられるが、この場合、熟練者にとっては常識的な事項までヘルプ情報として表示されるので、却って操作性が低下してしまう可能性がある。
【０００４】
そこで、本発明は、操作指示部等に関して画面に表示される情報の内容を、使用者の習熟度に応じて切り換えることのできる操作画像表示装置、及び、その操作画像表示装置を構成するためのプログラムを提供することを目的としてなされた。
【課題を解決するための手段】
【０００５】
上記目的を達するためになされた本発明の操作画像表示装置は、コンピュータまたはそのコンピュータに接続された機器に対する操作を指示するための操作指示部を有する操作画像を、画面に表示する操作画像表示手段と、使用者の操作に応じて上記画面内にポインタを表示するポインタ表示手段と、上記画面内のポインタと上記操作画像との距離、または、上記画面内のポインタと上記操作指示部との距離を検出する距離検出手段と、上記ポインタの移動方向を検出する移動方向検出手段と、上記ポインタの停止状態を検出する停止状態検出手段と、上記距離検出手段が検出した距離と、上記移動方向検出手段が検出した移動方向と、上記停止状態検出手段が上記ポインタの停止状態を継続して検出している時間とに基づき、上記操作画像または上記操作指示部に関する情報を選択する情報選択手段と、該情報選択手段に選択された情報を上記画面に表示する情報表示手段と、を備え、上記情報選択手段は、上記距離検出手段が検出した距離と上記移動方向検出手段が検出した移動方向とに基づいて、上記操作画像または上記操作指示部に関する情報を選択し、かつ、上記停止状態検出手段が上記ポインタの停止状態を継続して検出している時間に基づいて、上記操作画像または上記操作指示部に関する情報を変更することを特徴としている。
【０００６】
このように構成された本発明の操作画像表示装置では、コンピュータまたはそのコンピュータに接続された機器に対する操作を指示するための操作指示部を有する操作画像が、操作画像表示手段によって画面に表示される。また、ポインタ表示手段は、使用者の操作に応じて上記画面内にポインタを表示する。すると、距離検出手段は、上記画面内のポインタと上記操作画像との距離、または、上記画面内のポインタと上記操作指示部との距離を検出し、該検出された距離に基づき、情報選択手段は、上記操作画像または上記操作指示部に関する情報を選択する。このようにして情報が選択されると、情報表示手段はその情報選択手段に選択された情報を上記画面に表示する。
【０００７】
このように、本発明では、ポインタと操作画像または操作指示部との距離に基づいて、表示すべき情報が選択される。このため、使用者の習熟度が低く、ポインタをどの操作指示部等へ移動させればよいのか使用者が迷っている場合などには、その操作画像の全体等に関する情報の表示を行い、特定の操作指示部にポインタが近づいた時点でその操作指示部に関する情報を表示するなどの制御が可能となる。
【０００９】
また、本発明では、移動方向検出手段によって検出されたポインタの移動方向を加味して、情報選択手段が情報を選択することにより、使用者が操作しようとしている操作指示部等を一層的確に判断して、その操作指示部等に関する情報を表示することができる。
【００１１】
更に、本発明では、使用者の習熟度が低く、使用者が操作に迷ってポインタが停止状態となった場合、停止状態検出手段がそのことを検出する。このような場合、情報選択手段は、操作指示部等に関する一層詳しい情報を表示すべき情報として選択するなどの制御が可能となる。従って、画面に表示される情報の内容を、使用者の習熟度に応じて一層良好に切り換えることができる。なお、本発明でいう停止状態とは、完全に停止した状態のみに限定されるものではなく、わずかに動いている状態も含めてもよい。
【００１５】
また、本発明のプログラムは、コンピュータを、上記操作画像表示装置を構成する各手段として動作させることを特徴としている。このため、本発明のプログラムをコンピュータに実行させれば、上記操作画像表示装置を容易に構成することができる。
【発明を実施するための最良の形態】
【００１６】
［実施の形態の全体構成］
次に、本発明の実施の形態を、図面を参照して説明する。図１は、本発明が適用された印刷システムの構成を表す外観図である。図１に示すように、本実施の形態の印刷システムは、カラーレーザプリンタ（以下、単にプリンタという）１と、そのプリンタ１にＬＡＮ，インターネット等のネットワークＷを介して接続された操作画像表示装置の一例としてのパーソナルコンピュータ（以下、単にパソコンという）３００とから構成されている。なお、ネットワークＷには、プリンタ１以外にも他のプリンタが接続されていてもよい。
【００１７】
プリンタ１は、イエロー，マゼンタ，シアン，及びブラックのトナーにて電子写真方式によって画像を形成する周知のプリンタエンジン２（図２参照）を内部に備え、このプリンタエンジン２は、収容トレイ３に収容された被記録媒体の一例としての用紙（図示省略）に、１枚ずつ画像を形成してスタッカ４へ排出する。また、プリンタ１の表面には、ディスプレイ５Ａ及び各種ボタンを備え、各種設定や指示を行うための操作パネル５が設けられている。
【００１８】
図２は、この印刷システムにおける制御系の構成を表すブロック図である。図２に示すように、パソコン３００のパソコン本体３１０は、ＣＰＵ３１１、ＲＯＭ３１２、ＲＡＭ３１３、及び、ハードディスク装置（ＨＤＤ）３１４を備えている。そして、このパソコン本体３１０には、ＣＲＴ等のディスプレイ３２０、キーボード３３０、マウス３４０が接続されている（いずれも図１参照）。更に、パソコン本体３１０には、前述のネットワークＷと接続するためのネットワークポートインタフェース（ネットワークポートＩ／Ｆ）３５０も接続されている。
【００１９】
プリンタ１には、前述のプリンタエンジン２等を制御する制御部１０が設けられ、この制御部１０は、ＣＰＵ１０Ａ，ＲＯＭ１０Ｂ，ＲＡＭ１０Ｃを備えたマイクロコンピュータとして構成されている。また、制御部１０は、電源スイッチが切られても記憶内容が消えないようにされたＮＶＲＡＭ１０Ｄも備えている。更に、この制御部１０には、前述のプリンタエンジン２，操作パネル５の他、ネットワークＷを介してパソコン３００と接続するためのネットワークポートインタフェース（ネットワークポートＩ／Ｆ）１１などが接続されている。
【００２０】
［実施の形態における制御（ダイアログの構成）］
次に、この制御系で実行される処理について説明する。図３は、パソコン３００においてプリンタドライバが起動され、そのプリンタドライバにおいて「プロパティ」が指示されたときにディスプレイ３２０に表示される操作画像の一例としてのダイアログ５００を表す説明図である。なお、このダイアログ５００の表示は、操作画像表示手段の一例としての周知の処理によって実行され、その表示時には、ポインタ表示手段の一例としての周知の処理により、パソコン３００の使用者によるマウス３４０の操作に応じてマウスポインタＰ（図１０参照）もディスプレイ３２０に表示される。
【００２１】
図３に示すように、このダイアログ５００には、ヘルプ表示モードが設定されているかを示すヘルプ表示モード設定表示部５１０が設けられ、そのヘルプ表示モード設定表示部５１０の隣にはチェックボックス５２０が設けられている。ヘルプ表示モードとは、マウスポインタＰの位置に情報の一例としてのヘルプ情報を表示するモードであり、チェックボックス５２０がマウス３４０でクリック（以下、単にクリックともいう）されることによってモードの設定，非設定が切り換えられる。
【００２２】
また、図３に示すように、このダイアログ５００には、各種設定を行うための操作指示部の一例としてのアイコンが表示されるアイコン表示部５３０が設けられている。図３は、「Ｂａｓｉｃ」（基本設定）に関する設定画面を表しており、アイコン表示部５３０には、大きいアイコンとして、Ａ：「Ｐａｐｅｒ  Ｓｉｚｅ」（用紙サイズ）、Ｂ：「Ｏｒｉｅｎｔａｔｉｏｎ」（用紙方向）、Ｃ：「Ｐａｐｅｒ  Ｓｏｕｃｅ」（給紙方法）の３つが設けられている。また、各大きいアイコンにはそれぞれ小さいアイコンが更に設けられている。Ａのアイコンには小さいアイコン（ａ）が設けられプルダウンメニューによる用紙サイズの選択が可能にされている。Ｂのアイコンには、ｂ：縦方向、及び、ｃ：横方向の２つの小さいアイコンが設けられ、用紙方向が縦横いずれかから選択可能にされている。Ｃのアイコンには、ｄ：１ページ目、及び、ｅ：２ページ目以降の２つのアイコンが設けられ、プルダウンメニューにより１ページ目と２ページ目以降とで個々に給紙方法が設定可能にされている。
【００２３】
［実施の形態における制御（処理の説明）］
図４は、ダイアログ５００の表示中に、ＣＰＵ３１１がハードディスク装置３１４に記憶されたプログラムに基づいて実行する処理のうち、ヘルプ情報の表示に関する処理を表すフローチャートである。なお、この処理は、ダイアログ５００の表示中、繰り返し実行される。
【００２４】
図４に示すように、この処理では、先ず、Ｓ１（Ｓはステップを表す：以下同様）にて、前述のヘルプ表示モードが設定されているか否かが判断される。ヘルプ表示モードが設定されていない場合は（Ｓ１：Ｎ）、そのまま処理を終了し、ヘルプ表示モードが設定されている場合は（Ｓ１：Ｙ）、処理はＳ２へ移行する。Ｓ２では、その時点のマウスポインタＰの位置が取得されてその位置がｍ１とされ、続くＳ３では、位置ｍ１に基づいて次のようにヘルプ表示の対象物（アイコン）が選択される。
【００２５】
図５は、Ｓ３の処理を詳細に表すフローチャートである。図５に示すように、この処理では、先ず、距離検出手段の一例としてのＳ３１にて、マウスポインタＰとダイアログ５００の外枠との距離が取得され、その距離がＬ0 とされる。続くＳ３２では、Ｌ0 が予め設定された任意の固定距離ＸＸＸよりも小さいか否かが判断される。Ｌ0 ≧ＸＸＸの場合は（Ｓ３２：Ｎ）、情報選択手段の一例としてのＳ３３にてダイアログ５００の全体が対象物として選択され、処理はこのＳ３に続くＳ４（図４参照）へ移行する。
【００２６】
一方、Ｌ0 ＜ＸＸＸの場合は（Ｓ３２：Ｙ）、処理は距離検出手段の一例としてのＳ３４へ移行する。Ｓ３４では、Ａ，Ｂ，Ｃで表される大きいアイコンとマウスポインタＰとの距離がそれぞれ取得され、そのうち値が最も小さいもの、すなわち直近の大きいアイコンとの距離がＬＳとされる。続くＳ３５では、ＬＳが予め設定された任意の固定距離ＹＹＹ（ＸＸＸ＞ＹＹＹ）よりも小さいか否かが判断される。ＬＳ≧ＹＹＹの場合は（Ｓ３５：Ｎ）、処理は情報選択手段の一例としてのＳ３６へ移行し、前述のＳ３４にてＬＳが取得された直近の大きいアイコンが対象物として選択され、処理はＳ４へ移行する。また、ＬＳ＜ＹＹＹの場合は（Ｓ３５：Ｙ）、処理は情報選択手段の一例としてのＳ３７へ移行する。Ｓ３７では、ａ〜ｅで表される小さいアイコンとマウスポインタＰとの距離がそれぞれ取得され、そのうち値が最も小さいもの、すなわち直近の小さいアイコンが対象物として選択され、処理はＳ４へ移行する。
【００２７】
図４へ戻って、情報表示手段の一例としてのＳ４では、上記のようにＳ３にて選択された対象物に対応する第１ヘルプ内容テーブルの該当項目が、マウスポインタＰの近傍にヘルプ情報として表示される。本実施の形態では、第１ヘルプ内容テーブルは、図６に示すように構成されている。すなわち、第１ヘルプ内容テーブルには、ダイアログ５００の全体（全て）が対象物に選択された場合、図３にＡ〜Ｃで表される大きいアイコンのいずれかが対象物に選択された場合、図３にａ〜ｅで表される小さいアイコンのいずれかが対象物に選択された場合のそれぞれに対して、ヘルプ情報として表示すべき内容が設定されている。Ｓ４では、この第１ヘルプ内容テーブルに設定された該当項目が、ヘルプ情報としてマウスポインタＰの近傍に表示される。なお、図６において「マウスポインタと対象物の距離」の項目は、後に説明する図１０の（１）〜（３）に対応付けるため便宜上記載したもので、テーブルとしては必須ではない。
【００２８】
図４へ戻って、続くＳ５では、その時点のマウスポインタＰの位置が取得されてその位置がｍ２とされ、更に続くＳ６では、ｍ１，ｍ２で表されるマウスポインタＰの位置の差分ｍ１−ｍ２が計算されてＭとされる。続く停止状態検出手段の一例としてのＳ７では、Ｍが予め設定された任意の固定距離Ｘより小さいか否かが判断されることにより、マウスポインタＰが実質的に停止しているか否かが判断される。Ｍ≧Ｘの場合は（Ｓ７：Ｎ）、処理はＳ８へ移行し、位置ｍ１，ｍ２に基づいて次のようにヘルプ表示の対象物（アイコン）が選択される。
【００２９】
図７は、Ｓ８の処理を詳細に表すフローチャートである。図７に示すように、この処理では、先ず、距離検出手段の一例としてのＳ８１にて、マウスポインタＰとダイアログ５００の外枠との距離が取得され、その距離がＬ0 とされる。続くＳ８２では、Ｌ0 が予め設定された任意の固定距離ＸＸＸよりも小さいか否かが判断される。Ｌ0 ≧ＸＸＸの場合は（Ｓ８２：Ｎ）、情報選択手段の一例としてのＳ８３にてダイアログ５００の全体が対象物として選択され、処理はこのＳ８に続くＳ９（図４参照）へ移行する。Ｓ９では、後述の停止開始時刻ｔ0 がクリアされた後、処理は前述のＳ４へ移行する。
【００３０】
一方、Ｌ0 ＜ＸＸＸの場合は（Ｓ８２：Ｙ）、処理は移動方向検出手段の一例としてのＳ８４へ移行する。Ｓ８４では、Ａ，Ｂ，Ｃで表される大きいアイコンの位置と、前述の位置ｍ１，ｍ２との３点から、それぞれ角度ΘＡ，ΘＢ，ΘＣが次のように取得される。すなわち、図８にＡとＣとに対して例示するように、上記３点を頂点とする三角形が想定され、位置ｍ１に対応する頂点の角度が取得されるのである。そして、続く距離検出手段の一例としてのＳ８５では、上記角度が最小となる大きいアイコン、すなわち、大きいアイコンのうちマウスポインタＰの移動方向に最も近いものが選択され、そのアイコンとの距離がＬＳとして取得される。
【００３１】
続くＳ８６では、ＬＳが予め設定された任意の固定距離ＹＹＹ（ＸＸＸ＞ＹＹＹ）よりも小さいか否かが判断される。ＬＳ≧ＹＹＹの場合は（Ｓ８６：Ｎ）、処理は情報選択手段の一例としてのＳ８７へ移行し、前述のＳ８５にてＬＳが取得された大きいアイコンが対象物として選択され、処理はＳ９へ移行する。また、ＬＳ＜ＹＹＹの場合は（Ｓ８６：Ｙ）、処理は移動方向検出手段の一例としてのＳ８８へ移行し、ａ〜ｅで表される小さいアイコンに対してＳ８４と同様に角度Θａ，Θｂ，Θｃ，Θｄ，Θｅがそれぞれ取得される。そして、続く情報選択手段の一例としてのＳ８９にて、その角度が最小となる小さいアイコンが対象物として選択され、処理はＳ９へ移行する。以上の処理により、前述のＳ４の処理では、マウスポインタＰの移動方向にあるアイコンに関するヘルプ情報が表示される。
【００３２】
図４へ戻って、一方、Ｓ７にてＭ＜Ｘ、すなわちマウスポインタＰが実質的に停止していると判断された場合は（Ｓ７：Ｙ）、処理はＳ１１へ移行し、停止開始時刻ｔ0 が取得済みであるか否かが判断される。前述のＳ９でクリアされるなどして停止開始時刻ｔ0 が取得済みでない場合は（Ｓ１１：Ｎ）、Ｓ１２にてその時点の時刻が停止開始時刻ｔ0 として取得された後、処理はＳ１３へ移行する。Ｓ１３では、その時点の時刻ｔ1 が取得される。また、マウスポインタＰの停止中に（Ｓ７：Ｙ）、処理が一度Ｓ１２を通過するなどして停止開始時刻ｔ0 が取得済みの場合は（Ｓ１１：Ｎ）、処理はＳ１１からＳ１３へ直接移行してｔ1 が取得される。続くＳ１４では、停止時間Ｔが、Ｔ＝ｔ1 −ｔ0 なる式によって計算され、Ｓ１５にて、その停止時間Ｔが予め定められた任意の固定時間ＺＺＺよりも長いか否かが判断される。
【００３３】
Ｔ≦ＺＺＺの場合は（Ｓ１５：Ｎ）、処理は前述のＳ１へ移行し、Ｔ＞ＺＺＺの場合は（Ｓ１５：Ｙ）、処理は情報選択手段及び情報表示手段の一例としてのＳ１６へ移行する。Ｓ１６では、その時点で選択されている対象物に対応する第２ヘルプ内容テーブルの該当項目が、マウスポインタＰの位置にヘルプ情報として表示され、処理は前述のＳ１へ移行する。本実施の形態では、第２ヘルプ内容テーブルは、図９に示すように構成されている。すなわち、第２ヘルプ内容テーブルには、図９に示すように、第１ヘルプ内容テーブルと同様、ダイアログ５００の全て，Ａ〜Ｃのいずれか，ａ〜ｅのいずれかが対象物に選択された場合のそれぞれに対して、ヘルプ情報として表示すべき内容が設定されている。但し、いずれの項目も、第１ヘルプ内容テーブルに比べて説明が詳細になされている。Ｓ１６では、この第２ヘルプ内容テーブルに設定された該当項目がヘルプ情報として表示される。なお、図９において「マウスポインタと対象物の距離」の項目は、後に説明する図１０の（１）〜（３）に対応付けるため便宜上記載したもので、テーブルとしては必須ではない。
【００３４】
このため、マウスポインタＰが実質的に停止している間は（Ｓ７：Ｙ）、Ｓ１〜Ｓ７，Ｓ１１，Ｓ１３，Ｓ１４の処理が繰り返され、第１ヘルプ内容テーブルに基づくヘルプ表示をしながら停止時間Ｔが計時される（Ｓ４，Ｓ１３，Ｓ１４）。そして、停止時間ＴがＺＺＺを超えると（Ｓ１５：Ｙ）、ヘルプ表示が第２ヘルプ内容テーブルに基づく表示に変更されるのである（Ｓ１６）。
【００３５】
［実施の形態の効果及び変形例］
以上の処理により、本実施の形態では、例えば次のようなヘルプ表示を実行することができる。例えば、図１０に（１）として例示するように、マウスポインタＰがダイアログ５００から遠く離れている場合は（Ｓ３２：ＮまたはＳ８２：Ｎ）、ダイアログ５００の全体に関するヘルプ情報が表示される（Ｓ３３またはＳ８３）。そして、（２）に例示するように、マウスポインタＰが例えば大きいアイコンＣに少し近づくと（Ｓ８２：Ｙ，Ｓ８６：Ｎ）、その大きいアイコンＣに関するヘルプ情報が表示される（Ｓ８７）。更に、（３）に例示するように、１つの小さいアイコン（この場合「ｅ」）の上に、マウスポインタＰが配置されると（Ｓ３５：ＹまたはＳ８６：Ｙ）、その小さいアイコンに関するヘルプ情報が表示される（Ｓ３７またはＳ８９）。
【００３６】
このように、本実施の形態では、マウスポインタＰがアイコンに近づくに従って表示内容が変化するので、習熟度が低くどのアイコンをクリックしてよいのか迷っている使用者に対しては、ダイアログ５００の全体に関するヘルプ情報から順次表示することができる。逆に、ある程度習熟していてどのアイコンをクリックすればよいか分かっている使用者に対しては、マウスポインタＰがほぼ瞬時に所望のアイコン上に移動されるためダイアログ５００の全体等に関するヘルプ情報は殆ど表示されない。
【００３７】
更に、図１０に（４）として例示するように、マウスポインタＰが同じ項目（例えば「ｅ」）のアイコン上にずっと配置されている場合は（Ｓ１５：Ｙ）、表示すべきヘルプ情報が第１ヘルプ内容テーブルから第２ヘルプ内容テーブルに切り換えられ（Ｓ１６）、より詳細なヘルプ情報が表示される。このため、習熟度が低くクリックしてもよいのか否か迷っている使用者に対しては、一層詳細なヘルプ情報を表示することができる。このように、本実施の形態では、マウスポインタＰの移動状態から使用者の習熟度を推測し、その習熟度に応じたヘルプ情報を表示しているので、極めて操作性が向上する。
【００３８】
なお、本発明は上記実施の形態になんら限定されるものではなく、本発明の要旨を逸脱しない範囲で種々の形態で実施することができる。例えば、マウスポインタＰがいずれかのアイコンの真上または上記ＹＹＹ未満の距離に配設されるまでヘルプ情報が表示されず、停止時間Ｔに基づいて表示が第１ヘルプ内容テーブルから第２ヘルプ内容テーブルに切り換えられるだけであってもよく、逆に、ヘルプ内容テーブルを１つしか備えず、距離に応じて対象物が絞り込まれるだけであってもよい。また、ヘルプ情報は、マウスポインタＰの近傍に限らず、例えば画面の下方等、任意の位置に表示されてもよい。
【図面の簡単な説明】
【００３９】
【図１】本発明が適用された印刷システムの構成を表す外観図である。
【図２】その印刷システムにおける制御系の構成を表すブロック図である。
【図３】その印刷システムのパソコンで表示されるダイアログの構成を表す説明図である。
【図４】そのパソコンが上記ダイアログの表示中に実行するヘルプ情報の表示に関する処理を表すフローチャートである。
【図５】その処理のうち、マウスポインタの位置に基づいて対象物を選択する処理を詳細に表すフローチャートである。
【図６】上記処理で使用される第１ヘルプ内容テーブルを表す説明図である。
【図７】上記処理のうち、マウスポインタの位置及び移動方向に基づいて対象物を選択する処理を詳細に表すフローチャートである。
【図８】その処理の考え方を表す説明図である。
【図９】上記処理で使用される第２ヘルプ内容テーブルを表す説明図である。
【図１０】上記処理によるヘルプ情報の表示例を表す説明図である。
【符号の説明】
【００４０】
１…カラーレーザプリンタ    ２…プリンタエンジン      ３…収容トレイ
５…操作パネル              ５Ａ…ディスプレイ        １０…制御部
１０Ａ，３１１…ＣＰＵ      １０Ｂ，３１２…ＲＯＭ    １０Ｃ，３１３…ＲＡＭ
３００…パソコン            ３１０…パソコン本体      ３１４…ハードディスク装置
３２０…ディスプレイ        ３３０…キーボード        ３４０…マウス
５００…ダイアログ          ５３０…アイコン表示部    Ｐ…マウスポインタ
Ｗ…ネットワーク
【図１】
0004556972.tif 000002
【図２】
0004556972.tif 000003
【図３】
0004556972.tif 000004
【図４】
0004556972.tif 000005
【図５】
0004556972.tif 000006
【図６】
0004556972.tif 000007
【図７】
0004556972.tif 000008
【図８】
0004556972.tif 000009
【図９】
0004556972.tif 000010
【図１０】
0004556972.tif 000011